(57)【特許請求の範囲】
【請求項１】
ジョークラッシャーを対象とした駆動装置（５）であって、
駆動軸（５０）に連結された通常運転用電動モータ及び起動用油圧モータ（Ｍ２）と、
起動時は起動用油圧モータ（Ｍ２）により駆動軸（５０）を駆動させ、この駆動軸（５０）が設定回転数に上昇したのを検出すると、起動用油圧モータ（Ｍ２）から通常運転用電動モータ（Ｍ１）に切り替えて駆動軸（５０）を駆動させるように制御する制御装置（５１）と、を備え、
前記制御装置（５１）は、駆動軸（５０）が設定回転数に上昇したのを検出できないときは起動用油圧モータ（Ｍ２）を停止又は空転させてから起動用油圧モータ（Ｍ２）を逆転させ、その逆転状態における駆動軸（５０）の回転数を検出し、これが所定回転数に上昇したのを検出すると起動用油圧モータ（Ｍ２）を停止又は空転させてから起動用油圧モータ（Ｍ２）を再び正転させ、かつ前記起動用油圧モータ（Ｍ２）の逆転状態における駆動軸（５０）が所定回転数に上昇したのを検出できないときはその否検出回数をカウンターによってカウントし、設定カウント数までは起動用油圧モータ（Ｍ２）の正転と逆転を繰り返すように制御することを特徴とする駆動装置。
【請求項２】
ジョークラッシャーを対象とした駆動方法であって、
駆動軸（５０）に通常運転用電動モータ（Ｍ１）及び起動用油圧モータ（Ｍ２）を連結させ、
起動時は起動用油圧モータ（Ｍ２）により駆動軸（５０）を駆動させ、この駆動軸（５０）が設定回転数に上昇したのを検出すると、起動用油圧モータ（Ｍ２）から通常運転用電動モータ（Ｍ１）に切り替えて駆動軸（５０）を駆動させるように制御装置（５１）で制御させ、
前記制御装置（５１）は、駆動軸（５０）が設定回転数に上昇したのを検出できないときは起動用油圧モータ（Ｍ２）を停止又は空転させてから起動用油圧モータ（Ｍ２）を逆転させ、その逆転状態における駆動軸（５０）の回転数を検出し、これが所定回転数に上昇したのを検出すると起動用油圧モータ（Ｍ２）を停止又は空転させてから起動用油圧モータ（Ｍ２）を再び正転させ、
かつ前記起動用油圧モータ（Ｍ２）の逆転状態における駆動軸（５０）が所定回転数に上昇したのを検出できないときはその否検出回数をカウンターによってカウントし、設定カウント数までは起動用油圧モータ（Ｍ２）の正転と逆転を繰り返すように制御させることを特徴とする駆動方法。
【発明の詳細な説明】
【技術分野】
【０００１】
本発明は、破砕機としてのジョークラッシャーを対象とした駆動装置及び駆動方法に関し、特に、起動時のモータ制御技術に関する。
【背景技術】
【０００２】
従来、産業機器としての破砕機としてジョークラッシャーが知られている（特許文献１参照）。
このジョークラッシャーは、本体枠に固定した固定歯に対して近接離反する動歯をスイングジョーに取付け、このスイングジョーの上部を本体枠に軸支した駆動軸の偏心部に取付け、この駆動軸の回転によりスイングジョーを揺動させることで動歯を固定歯に対して近接離反させ原料を破砕させるようになっている。
この場合、前記駆動軸には駆動手段として電動モータが連結され、この電動モータのみの駆動によって駆動軸を回転（駆動）させるようになっている。
【０００３】
しかしながら、ジョークラッシャーの駆動手段としてカゴ形電動モータを用いた場合、その起動時の過大な電流を抑えるためスターデルタやリアクトル抵抗器等を使用した起動方法が多く用いられるが、この方法では電圧を下げる分、起動トルクが下がる。
また、ジョークラッシャーの破砕室に原料が入ったまま起動する場合には、トルク不足で起動できずに定格電量を越える電流が流れ続け、この結果、電動モータの焼損といったトラブルが生じることがある。
上記のような起動時における電動モータの焼損を回避するため、従来、起動トルクの減少がない巻線形電動モータを使用することもある。
このように、カゴ形電動モータでは焼損が頻繁に発生し、また、巻線形電動モータでは抵抗器等の付帯設備が必要になるため、コスト負担が増大してしまうし、これらを収容する制御盤の容積が大きくなり、コンパクト化の障害になっているという問題があった。
【特許文献１】特許公開平１１−３１９５９２号公報
【発明の開示】
【発明が解決しようとする課題】
【０００４】
本発明は、通常運転用電動モータと起動用油圧モータとを併用し、起動時には、低回転域でも大きな回転力（トルク）を得ることができると共に、電動モータのような焼損といったトラブルがない起動用油圧モータを利用し、一方、駆動軸が一定の回転数まで上昇したのちは、回転力が一定した通常運転用電動モータに切り替えるという制御を行う技術である。
これにより、従来、電動モータに設けていたスターデルタやリアクトル抵抗器等の付帯設備を不要又は小さくしてコストの低減、及び制御盤のコンパクト化、マグネットスイッチの接点寿命の長期化を図る。
また、起動時には通常運転用電動モータを停止又は空転させることにより電源設備容量を低下させ、かつ起動時に保護回路を作動させる制御を不要にすることができる駆動装置及び駆動方法を提供することを課題としている。
【課題を解決するための手段】
【０００５】
上記の課題を解決するために、本発明（請求項１）の駆動装置は、
ジョークラッシャーを対象とした駆動装置（５）であって、
駆動軸（５０）に連結された通常運転用電動モータ及び起動用油圧モータ（Ｍ２）と、
起動時は起動用油圧モータ（Ｍ２）により駆動軸（５０）を駆動させ、この駆動軸（５０）が設定回転数に上昇したのを検出すると、起動用油圧モータ（Ｍ２）から通常運転用電動モータ（Ｍ１）に切り替えて駆動軸（５０）を駆動させるように制御する制御装置（５１）と、を備え、
前記制御装置（５１）は、駆動軸（５０）が設定回転数に上昇したのを検出できないときは起動用油圧モータ（Ｍ２）を停止又は空転させてから起動用油圧モータ（Ｍ２）を逆転させ、その逆転状態における駆動軸（５０）の回転数を検出し、これが所定回転数に上昇したのを検出すると起動用油圧モータ（Ｍ２）を停止又は空転させてから起動用油圧モータ（Ｍ２）を再び正転させ、かつ前記起動用油圧モータ（Ｍ２）の逆転状態における駆動軸（５０）が所定回転数に上昇したのを検出できないときはその否検出回数をカウンターによってカウントし、設定カウント数までは起動用油圧モータ（Ｍ２）の正転と逆転を繰り返すように制御する構成とした。
【０００６】
又、本発明（請求項２）の駆動方法は、
ジョークラッシャーを対象とした駆動方法であって、
駆動軸（５０）に通常運転用電動モータ（Ｍ１）及び起動用油圧モータ（Ｍ２）を連結させ、
起動時は起動用油圧モータ（Ｍ２）により駆動軸（５０）を駆動させ、この駆動軸（５０）が設定回転数に上昇したのを検出すると、起動用油圧モータ（Ｍ２）から通常運転用電動モータ（Ｍ１）に切り替えて駆動軸（５０）を駆動させるように制御装置（５１）で制御させ、
前記制御装置（５１）は、駆動軸（５０）が設定回転数に上昇したのを検出できないときは起動用油圧モータ（Ｍ２）を停止又は空転させてから起動用油圧モータ（Ｍ２）を逆転させ、その逆転状態における駆動軸（５０）の回転数を検出し、これが所定回転数に上昇したのを検出すると起動用油圧モータ（Ｍ２）を停止又は空転させてから起動用油圧モータ（Ｍ２）を再び正転させ、
かつ前記起動用油圧モータ（Ｍ２）の逆転状態における駆動軸（５０）が所定回転数に上昇したのを検出できないときはその否検出回数をカウンターによってカウントし、設定カウント数までは起動用油圧モータ（Ｍ２）の正転と逆転を繰り返すように制御させる構成とした。
【発明の効果】
【０００７】
本発明の駆動装置（請求項１）及び駆動方法（請求項２）は、駆動軸に通常運転用電動モータ及び起動用油圧モータを連結させている。
【０００８】
そして、前記通常運転用電動モータ及び起動用油圧モータの運転を制御装置によって制御させるもので、起動時は起動用油圧モータにより駆動軸を駆動させる。
この起動用油圧モータによる駆動軸の回転数が設定回転数まで上昇すると、起動用油圧モータを停止又は空転させて通常運転用電動モータを起動させるもので、このように駆動手段を起動用油圧モータから通常運転用電動モータに切り替えて駆動軸を駆動させるように制御させるものである。
【０００９】
従って、大きな負荷がかかる起動時には、低回転域でも大きな回転力が得られる起動用油圧モータを使用するため、楽に起動させることができるし、電動モータのような焼損といったトラブルを回避できる。
また、起動後、設定回転数まで上昇すると、一定の回転力を有する通常運転用電動モータにより安定して通常運転させることができる。
【００１０】
これにより、スターデルタやリアクトル抵抗器等の付帯設備を不要又は小さくでき、コストの低減、及び制御盤のコンパクト化、マグネットスイッチの接点寿命の長期化を図ることができる。
【００１１】
また、起動時は通常運転用電動モータを停止又は空転させるため、電源設備容量を低下させてランニングコストの低減を図ることができるし、また、起動時にサーマルが働かないようにする制御が不要になるためモータの焼損を抑制できる。
【００１２】
なお、通常運転に起動用油圧モータを使用すると、起動用油圧モータの駆動設備を大掛かりにする必要が生じ、コスト負担が増大したりメンテナンスに手間がかかるなどしたりして好ましくない。
【発明を実施するための最良の形態】
【００１３】
図１は産業機器としての破砕機であるジョークラッシャーを対象とした駆動装置の実施例を示す側面図、図２はその駆動装置を示す断面図である。
【００１４】
前記ジョークラッシャー１の基本構成は、本体枠１０に固定歯２１が固定され、この固定歯２１に対して近接離反することにより固定歯２１との間の破砕室２２で原料を挟圧して破砕する動歯２３がスイングジョー２４に取付けられている。
スイングジョー２４の上部は、本体枠１０に軸受１１，１１により軸支した駆動軸５０の偏心軸部５０ａに軸受１２，１２を介して取付けられ、この偏心軸部５０ａの回転により揺動することで動歯２３が固定歯２１に対して近接離反し原料を破砕する。
【００１５】
前記駆動軸５０の両端にはフライホイル５２，５３が取付けられ、一方のフライホイル５３（図２の右側フライホイル）が駆動用プーリ５４に形成され、この駆動用プーリ５４が動力伝達手段であるＶベルト５５を介して通常運転用電動モータＭ１に連結されている。
なお、前記通常運転用電動モータＭ１を駆動軸５０の端部に直接に連結させた直結構造にしてもよいし、通常運転用電動モータＭ１と駆動軸５０の間に動力伝達を断続させるためのクラッチを設けてもよい。
また、通常運転用電動モータＭ１としては、カゴ形電動モータや巻線形電動モータを使用できるが、安価でコンパクト化が可能なカゴ形電動モータを使用する方が有利である。
【００１６】
また、前記ジョークラッシャー１の駆動軸５０は、前記通常運転用電動モータＭ１に加えて流体モータとしての起動用油圧モータＭ２にも連結されている。
この実施例では、油圧装置（図示省略）に接続された起動用油圧モータＭ２を本体枠１０に固定させ、この起動用油圧モータＭ２のモータ軸５６を駆動軸５０の一方のフライホイル５２側の軸端に直接に連結させた直結構造になっている。
なお、前記起動用油圧モータＭ２をベルト伝達や歯車伝達等の間接的動力伝達手段を使用して駆動軸５０に連結させてもよいし、起動用油圧モータＭ２と駆動軸５０の間に動力伝達を断続させるためのクラッチを設けてもよい。
【００１７】
このように、ジョークラッシャー１の駆動軸５０が通常運転用電動モータＭ１に連結されると共に、この駆動軸５０は起動用油圧モータＭ２にも連結されており、これにより、前記駆動軸５０が通常運転用電動モータＭ１又は起動用油圧モータＭ２の何れか一方、又は通常運転用電動モータＭ１と起動用油圧モータＭ２の両方からの回転力で駆動可能に形成されている。
【００１８】
前記通常運転用電動モータＭ１及び起動用油圧モータＭ２は制御装置５１によって運転を制御される。
この制御装置５１は、駆動対象となるジョークラッシャー１の起動に際しては起動用油圧モータＭ２により駆動軸５０を駆動させ、この起動用油圧モータＭ２による駆動軸５０の回転数を検出手段５１ａにより検出し、それが設定回転数に上昇したのを検出すると、起動用油圧モータＭ２を停止又は空転させて通常運転用電動モータＭ１のみにより駆動軸５０を駆動させるという駆動手段の切り替え制御を行うものである。
【００１９】
図３は本発明の駆動方法を示すフローチャート図である。
ジョークラッシャー１の起動に際しては、通常運転用電動モータＭ１と起動用油圧モータＭ２のうち、まず先に起動用油圧モータＭ２を起動させる（ステップＳ１）。
このように、起動時等の大きな負荷がかかる時には、低回転域でも大きな回転力を得られる起動用油圧モータＭ２を使用するため、起動を楽にさせることができるし、従来、電動モータでの起動に必要であったスターデルタやリアクトル抵抗器等の付帯設備を不要又は小さくできる。
【００２０】
そして、起動用油圧モータＭ２による起動後、駆動軸５０の回転数を検出手段５１ａにより検出し（ステップＳ２）、それが設定回転数まで上昇すると、通常運転用電動モータＭ１の回転を開始させると共に、起動用油圧モータＭ２を停止又は空転させ（ステップＳ３）、通常運転用電動モータＭ１の駆動力のみで通常運転させるものである。
【００２１】
これにより、スターデルタやリアクトル抵抗器等の付帯設備を不要又は小さくでき、コストの低減、及び制御盤のコンパクト化、ランニングコストの低減、マグネットスイッチの接点寿命の長期化を図ることができる。
【００２２】
なお、起動用油圧モータＭ２による駆動で駆動軸５０が設定回転数に達したか否かを検出するための検出手段５１ａとして実施例ではタイマーと起動用油圧モータＭ２の流体圧センサを用い、起動用油圧モータＭ２の回転開始後、一定時間（例えば３０秒、６０秒）内の流体圧が所定の圧力に達しているか否かで判断させている。
【００２３】
検出手段５１ａとしては、タイマーと流体圧センサとの組み合わせに限らず、タイマー、流体圧センサ、流体流量センサ、駆動軸自体の回転数センサ等を単独、或いは組み合わせて使用できる。
【００２４】
また、ジョークラッシャー１による破砕に際し、当初、破砕室２２内に原料が入った閉塞状態になっていると、起動用油圧モータであってもこれを破砕して排出させることが困難な場合がある。
【００２５】
このような閉塞状態では、起動用油圧モータＭ２の回転が上昇できないため、駆動軸５０が設定回転数まで上昇せず、検出手段による検出ができない。
この場合は、図３のフローチャート図で示すように、起動用油圧モータＭ２を停止又は空転（ステップＳ４）させてからこの起動用油圧モータＭ２を逆転（Ｓステップ５）させて閉塞状態の解消を試みる。
【００２６】
次に、この起動用油圧モータＭ２の逆転状態における駆動軸５０の回転数を検出し（ステップＳ６）、これが所定回転数（前記ステップＳ２での設定回転数よりも低い回転数に設定できる）に達すると、起動用油圧モータＭ２を停止又は空転（ステップＳ７）させてから起動用油圧モータＭ２を再び正転させる（Ｓステップ１）という当初の制御段階に戻す。
【００２７】
前記起動用油圧モータＭ２の逆転状態における駆動軸５０の回転数検出（ステップＳ６）において、所定回転数を検出できないときは、その否検出回数をカウンターによってカウントし（ステップＳ８）、設定カウント（例えば５回）までは起動用油圧モータＭ２の正転と逆転を繰り返すことで更に閉塞状態の解消を試みる。
【００２８】
設定カウントを越えると、これ以上の試みは無理と判断してジョークラッシャーの運転を異常停止させるもので、これにより運転異常に迅速に対応し、他の手段によって閉塞状態を解消させることができる。
【００２９】
また、前記起動用油圧モータＭ２及び通常運転用電動モータＭ１は、それぞれを単独で駆動させることができるし、起動用油圧モータＭ２と通常運転用電動モータＭ１の両者を同時に駆動させることも可能である。
例えば、通常運転用電動モータＭ１による通常運転に際し、通常運転用電動モータＭ１の負担が大きくなったような場合、通常運転用電動モータＭ１を駆動させながら起動用油圧モータＭ２を駆動させて通常運転用電動モータＭ１の駆動を起動用油圧モータＭ２で補助させることもできる。
【００３０】
なお、前記スイングジョー２４の上部は前記したように駆動軸５０の偏心軸部５０ａに取付けられ、また、スイングジョー２４の下端部はトッグルプレート６０を介して本体枠１０に支持されている。
【００３１】
このトッグルプレート６０の位置を前後方向に調節することにより、スイングジョー２４に取付けた動歯２３の位置を調整し、その動歯２３と固定歯２１との間の破砕室２２の間隔を設定することができるようになっている。
このトッグルプレート６０の位置調節に起動用油圧モータＭ２の油圧装置を利用できるし、その他の油圧機器用のアクチュエータ（例えば、油圧シリンダ等）の駆動源として起動用油圧モータＭ２の油圧装置を利用できる。
【００３２】
実施例では、駆動対象として定置式のジョークラッシャーを例に挙げたが、自走式ジョークラッシャーに本発明の駆動装置及び駆動方法を適用できる。
この場合、走行装置（クローラ走行装置又は車輪走行装置）を備えた車体に破砕機としてのジョークラッシャーを搭載させるもので、ジョークラッシャーの駆動軸５０に通常運転用電動モータＭ１及び起動用油圧モータＭ２を連結させると共に、この通常運転用電動モータＭ１及び起動用油圧モータＭ２を制御装置５１によって制御する構成は前記定置式と同様である。
【図面の簡単な説明】
【００３３】
【図１】産業機器としての破砕機であるジョークラッシャーを対象とした駆動装置の実施例を示す側面図
【図２】その駆動装置を示す断面図
【図３】本発明の駆動方法を示すフローチャート図
【符号の説明】
【００３４】
１  ジョークラッシャー（破砕機）
１０  本体枠
１１  軸受
１２  軸受
２１  固定歯
２２  破砕室
２３  動歯
２４  スイングジョー
５０  駆動軸
５０ａ  偏心軸部
５１  制御装置
５１ａ  検出手段
５２  フライホイル
５３  フライホイル
５４  駆動用プーリ
５５  Ｖベルト
５６  モータ軸
６０  トッグルプレート
Ｍ１  通常運転用電動モータ
Ｍ２  起動用油圧モータ
【図１】
0005546116.tif 000002
【図２】
0005546116.tif 000003
【図３】
0005546116.tif 000004